(57)【要約】【課題】給茶機本体15の給茶機制御部16が複雑化したり高価になることなく、給茶機システムにも対応できる給茶機11を提供する。【解決手段】給茶機本体15の給茶機制御部16およびＩＤカードの情報を読み込むカードリーダ18に通信可能に中継アダプタ19を接続する。中継アダプタ19により、ＩＤカードでの販売データを記憶し、記憶した販売データを収集するセンタパソコン12に送信する。給茶機制御部16は、中継アダプタ19との間で簡単な通信をするのみで済み、複雑化したり高価になることなく、給茶機システムにも対応できる。【選択図】図１
2007213398.tif 000002
【特許請求の範囲】
【請求項１】
飲料提供動作を制御する給茶機制御部を有する給茶機本体と、
ＩＤ情報を読み込むＩＤ情報読込部と、
前記給茶機制御部およびＩＤ情報読込部に通信可能とし、前記ＩＤ情報での販売データを記憶し、記憶した販売データを収集する販売データ収集装置に対して送信可能とする中継アダプタと
を具備していることを特徴とする給茶機。
【請求項２】
中継アダプタは、給茶機制御部、ＩＤ情報読込部および販売データ収集装置のそれぞれと通信する各インターフェース回路、およびＩＤ情報読込部に電源を供給する電源回路を備えている
ことを特徴とする請求項１記載の給茶機。
【請求項３】
請求項１または２記載の給茶機と、
この給茶機の中継アダプタを通じて通信し、給茶機の販売データを収集する販売データ収集装置と
を具備していることを特徴とする給茶機システム。
【請求項４】
飲料提供動作を制御する給茶機制御部、およびＩＤ情報を読み込む複数のＩＤ情報読込部を有する複数の給茶機と、
これら複数の給茶機の給茶機制御部およびＩＤ情報読込部と通信可能とし、各給茶機のＩＤ情報での販売データを送信可能とする中継アダプタと
この中継アダプタを通じて各給茶機のＩＤ情報での販売データを収集する販売データ収集装置と
を具備していることを特徴とする給茶機システム。
【発明の詳細な説明】
【技術分野】
【０００１】
本発明は、主にお茶などの飲料を提供する給茶機および給茶機システムに関する。
【背景技術】
【０００２】
従来、主にお茶などを提供する給茶機は、例えば、事務所内や事業所内などに設置され、利用者が所有するカップや給茶機に備え付けの紙コップなどに自由にお茶などを入れて飲むことができるようにしている一般的な使われ方が多い（例えば、特許文献１参照。）。
【０００３】
また、その一般的な使われ方に比べて少ないが、例えばコーヒーなどを提供する場合には料金を取る使われ方もある。この場合、利用者が所有する例えば社員証などの磁気カードの情報をカードリーダで読み込むことによって給茶機からコーヒーなどを提供し、カードリーダで読み込んだカードの情報や販売価格などを含む販売データをコンピュータである販売データ収集装置に収集して管理する給茶機システムがある。
【０００４】
このような給茶機システムで用いられる給茶機では、一般的な使われ方をする給茶機で用いられる給茶機制御部と異なり、専用に開発された給茶機制御部が用いられており、それは次のような理由による。一般的な使われ方をする給茶機は、制御内容が例えば選択ボタンが押されたら原料や湯などを供給するというように単純であるため、その単純な制御内容に対応して簡単な制御プログラムでよく、安価な小容量のマイコンが選定された給茶機制御部が用いられている。それに対し、給茶機システムに対応する給茶機では、カードリーダとの通信およびカードリーダへの電源供給、販売データ収集装置との通信、販売データの記憶などをするための通信用回路、電源、メモリなどを搭載した専用のハードを用いる必要があるとともに、それらを制御する複雑な制御プログラムが必要となる。しかも、その複雑な制御プログラムや販売データを取り扱うために大容量のマイコンを選定する必要がある。そのため、一般的な使われ方をする給茶機の給茶機制御部では給茶機システムには対応できず、給茶機システムに専用に開発された給茶機が用いられている。
【特許文献１】特許第３０７１３５８号公報（第１−４頁、図３）
【発明の開示】
【発明が解決しようとする課題】
【０００５】
上述のように、給茶機システムでは、一般的な使われ方をする給茶機を用いることができず、専用の給茶機を用いる必要があり、また、この専用の給茶機を用いるために、一般的な使われ方をする給茶機に比べて、給茶機制御部が複雑化し、高価になる問題がある。
【０００６】
本発明は、このような点に鑑みなされたもので、給茶機制御部が複雑化したり高価になることなく、給茶機システムにも対応できる給茶機、およびこの給茶機を用いた給茶機システムを提供することを目的とする。
【課題を解決するための手段】
【０００７】
請求項１記載の給茶機は、飲料提供動作を制御する給茶機制御部を有する給茶機本体と、ＩＤ情報を読み込むＩＤ情報読込部と、前記給茶機制御部およびＩＤ情報読込部に通信可能とし、前記ＩＤ情報での販売データを記憶し、記憶した販売データを収集する販売データ収集装置に対して送信可能とする中継アダプタとを具備しているものである。
【０００８】
請求項２記載の給茶機は、請求項１記載の給茶機において、中継アダプタは、給茶機制御部、ＩＤ情報読込部および販売データ収集装置とそれぞれ通信する各インターフェース回路、およびＩＤ情報読込部に電源を供給する電源回路を備えているものである。
【０００９】
請求項３記載の給茶機システムは、請求項１または２記載の給茶機と、この給茶機の中継アダプタを通じて通信し、給茶機の販売データを収集する販売データ収集装置とを具備しているものである。
【００１０】
請求項４記載の給茶機システムは、飲料提供動作を制御する給茶機制御部、およびＩＤ情報を読み込む複数のＩＤ情報読込部を有する複数の給茶機と、これら複数の給茶機の給茶機制御部およびＩＤ情報読込部と通信可能とし、各給茶機のＩＤ情報での販売データを送信可能とする中継アダプタと、この中継アダプタを通じて各給茶機のＩＤ情報での販売データを収集する販売データ収集装置とを具備しているものである。
【発明の効果】
【００１１】
請求項１記載の給茶機によれば、給茶機制御部およびＩＤ情報読込部に通信可能とする中継アダプタにより、ＩＤ情報での販売データを記憶し、記憶した販売データを収集する販売データ収集装置に対して送信可能とするため、給茶機制御部が複雑化したり高価になることなく、給茶機システムにも容易に対応できる。
【００１２】
請求項２記載の給茶機によれば、請求項１記載の給茶機の効果に加えて、中継アダプタが、給茶機制御部、ＩＤ情報読込部および販売データ収集装置とそれぞれ通信する各インターフェース回路、およびＩＤ情報読込部に電源を供給する電源回路を備えるため、給茶機制御部が複雑化したり高価になることなく、給茶機システムにも容易に対応できる。
【００１３】
請求項３記載の給茶機システムによれば、販売データ収集装置は、請求項１または２記載の給茶機の中継アダプタを通じて通信し、給茶機の販売データを収集することができる。
【００１４】
請求項４記載の給茶機システムによれば、複数の給茶機の給茶機制御部およびＩＤ情報読込部に通信可能とする中継アダプタにより、各給茶機のＩＤ情報での販売データを販売データ収集装置に対して送信可能とするため、各給茶機の給茶機制御部が複雑化したり高価になることがなく、給茶機システムも簡素化し、安価に構成できる。
【発明を実施するための最良の形態】
【００１５】
以下、本発明の実施の形態を図面を参照して説明する。
【００１６】
図１ないし図３に第１の実施の形態を示す。
【００１７】
図１は給茶機システムのブロック図であり、この給茶機システムは、給茶機11、販売データ収集装置としてのセンタパソコン12、これら給茶機11とセンタパソコン12とを通信可能に接続する通信手段としての通信線13を備えている。
【００１８】
給茶機11は、給茶機本体15を備え、この給茶機本体15には、例えば、お茶やコーヒーの原料を供給する原料供給装置、湯を供給する湯供給装置、冷水を供給する冷水供給装置、原料と湯または冷水とを攪拌混合して飲料を注出する混合装置などが配置されている。そして、給茶機本体15は、このような飲料提供動作を制御する給茶機制御部16を備えている。この給茶機制御部16は、中継アダプタ19に対してカードリーダ受付可能信号の送信、中継アダプタ19からの飲料提供動作許可信号の受信などの簡単な信号のみ通信するように構成されている。
【００１９】
さらに、給茶機11は、給茶機システムに対応するために、ＩＤ情報読込部としてのＩＤカード読込部であるカードリーダ18、および給茶機制御部16とカードリーダ18とをそれぞれに対応した信号で通信可能に接続する中継アダプタ19を備えている。
【００２０】
カードリーダ18は、例えば磁気カード、接触式ＩＣカード、非接触式ＩＣカードなどのＩＤ情報を備えたＩＤカードのＩＤ情報を読み込み可能とする。
【００２１】
中継アダプタ19は、図２に示すように、制御部としてのマイコン21を備え、このマイコン21に、給茶機制御部16と通信線などで電気的に接続される給茶機通信用コネクタ22が、給茶機制御部16と通信可能な信号を用いて通信するインターフェース回路23を介して接続され、また、カードリーダ18と通信線などで電気的に接続されるカードリーダ用コネクタ24が、カードリーダ18と通信可能な信号を用いて通信するインターフェース回路25を介して接続され、また、センタパソコン12と通信線13で電気的に接続されるセンタパソコン通信用コネクタ26が、センタパソコン12と通信可能な信号を用いて通信するインターフェース回路27を介して接続されている。また、中継アダプタ19は、商用電源を用いて中継アダプタ19の各回路部に電源を供給する電源回路28を備え、さらに、この電源回路28からは、カードリーダ用コネクタ24を通じてカードリーダ18にも電源を供給する。
【００２２】
マイコン21は、飲料販売毎にＩＤカードのＩＤ情報、販売価格および販売日時などを含めた販売データを記憶する図示しない記憶部としてのメモリを備えている。
【００２３】
そして、マイコン21は、給茶機制御部16からのカードリーダ受付許容信号を受信し、カードリーダ18がＩＤカードの情報を読み込むことにより、給茶機制御部16に飲料提供動作を許可する飲料提供動作許可信号を送信する機能、センタパソコン12からの収集指令を受信し、メモリ内に記憶している販売データをセンタパソコン12に送信する機能などを有している。
【００２４】
また、センタパソコン12は、給茶機11の中継アダプタ19に対して、通信線13により、センタパソコン用中継アダプタ30を介して接続されている。センタパソコン12は、給茶機11に対して販売データの収集を指令する収集命令を送信し、給茶機11の中継アダプタ19から送信されてくる販売データを受信し、販売データを管理する。
【００２５】
次に、本実施の形態の作用を図３のフローチャートを参照して説明する。
【００２６】
給茶機システムとしての使われ方においては、給茶機11がＩＤカードにより販売できる状態にあり（ステップ１）、かつＩＤカードでの飲料販売のときに（ステップ２）、ＩＤカードの情報と販売価格とを含む販売データを中継アダプタ19のメモリに記憶する（ステップ３）。
【００２７】
この飲料販売では、例えば、購入者が給茶機本体15でコーヒーなどの飲料を選択することにより、給茶機制御部16から中継アダプタ19にカードリーダ受付許容信号を送信し、中継アダプタ19ではカードリーダ18でのＩＤカードの読み込みを許容する。購入者がＩＤカードをカードリーダ18に通し、カードリーダ18でＩＤカードの情報を読み込むことにより、中継アダプタ19から給茶機制御部16に飲料提供動作許可信号を送信する。給茶機制御部16では飲料提供動作を制御し、コーヒーなどの飲料を提供する。
【００２８】
また、中継アダプタ19にセンタパソコン12から収集命令が送信されてきたら（ステップ４）、中継アダプタ19のメモリに記憶している販売データをセンタパソコン12に送信する（ステップ５）。センタパソコン12で販売データを受信して管理する。
【００２９】
このように、給茶機制御部16とカードリーダ18との間にそれぞれ対応した信号で通信可能に接続された中継アダプタ19により、ＩＤカードでの販売データを記憶し、記憶した販売データを収集するセンタパソコン12に対して送信可能とするため、給茶機制御部16が複雑化したり高価になることなく、給茶機システムにも対応できる。
【００３０】
特に、中継アダプタ19が、給茶機制御部16、カードリーダ18およびセンタパソコン12とそれぞれ通信する各インターフェース回路23，25，27、およびカードリーダ18に電源を供給する電源回路28を備えるため、給茶機制御部16が複雑化したり高価になることなく、給茶機システムにも対応できる。
【００３１】
すなわち、給茶機制御部16は、通信用回路、電源、メモリなどのハードが必要なく、中継アダプタ19との間で簡単な通信をするのみで済み、簡単な制御プログラムで済むうえに、安価な小容量のマイコンを選定でき、複雑化したり高価になることがない。
【００３２】
したがって、一般的な使われ方の多い給茶機11の給茶機制御部16が複雑化したり高価になることなく、一般的な使われ方と給茶機システムとで給茶機本体15の共通化が可能となり、そして、この給茶機制御部16を備えた給茶機本体15とカードリーダ18および中継アダプタ19と組み合わせて給茶機11を構成するだけで、給茶機システムにも容易に対応できる。
【００３３】
次に、図４に第２の実施の形態を示す。
【００３４】
カードリーダ18がそれぞれ配設された複数の給茶機11と、１つの中継アダプタ19とを用いて、給茶機システムを構成している。
【００３５】
中継アダプタ19には給茶機通信用コネクタ22およびカードリーダ用コネクタ24にそれぞれ接続される２線のケーブル41が配線され、このケーブル41に各給茶機11の給茶機制御部16およびカードリーダ18が並列に接続されている。
【００３６】
そして、複数の給茶機11の給茶機制御部16およびＩＤ情報読込部18にケーブル41を通じて通信する１つの中継アダプタ19により、各給茶機11のＩＤ情報での販売データをセンタパソコン12に対して送信することができる。そのため、各給茶機11の給茶機制御部16が複雑化したり高価になることがなく、給茶機システムも簡素化し、安価に構成できる。
【００３７】
なお、通信手段としては、通信線13に限らず、無線媒体を利用して通信する無線通信機器を用いてもよい。
【００３８】
また、ＩＤ情報読込部でＩＤ情報を読み込むのは、ＩＤカードに限らず、非接触式ＩＣなどを備えた携帯端末などの端末などにも対応してもよい。
【図面の簡単な説明】
【００３９】
【図１】本発明の第１の実施の形態を示す給茶機システムのブロック図である。
【図２】同上給茶機システムの中継アダプタのブロック図である。
【図３】同上給茶機システムの販売、データ収集のフローチャートである。
【図４】本発明の第２の実施の形態を示す給茶機システムのブロック図である。
【符号の説明】
【００４０】
11    給茶機
12    販売データ収集装置としてのセンタパソコン
15    給茶機本体
16    給茶機制御部
18    ＩＤ情報読込部としてのカードリーダ
19    中継アダプタ
23，25，27    インターフェース回路
28    電源回路
【図１】
2007213398.tif 000003
【図２】
2007213398.tif 000004
【図３】
2007213398.tif 000005
【図４】
2007213398.tif 000006